(57)【要約】【解決手段】改善された送信ダイバーシティ直交周波数分割多重通信システムを提供するための送信機、受信機、および方法が適用される。【選択図】      図３
2007538464.tif 000002
【特許請求の範囲】
【請求項１】
少なくとも２つのアンテナと、
逆高速フーリエ変換を利用して第１のブロックおよび第２のブロックの逆複素共役を生成するプロセッサであり、前記第２のブロックの前記逆複素共役を第１の時間スロットの間前記少なくとも２つのアンテナのうちの第１のアンテナから送信させ、前記第１のブロックを前記第１の時間スロットの後の第２の時間スロットの間前記第１のアンテナから送信させ、かつ前記第１のブロックの前記逆複素共役を前記第１の時間スロットの間前記少なくとも２つのアンテナの第２のアンテナから送信させ、前記第２のブロックを前記第２の時間スロットの間前記第２のアンテナから送信させるプロセッサと、
を備える送信機。
【請求項２】
前記第１の時間スロットと前記第２の時間スロットは、連続した時間スロットである請求項１に記載の送信機。
【請求項３】
前記第１のブロックは第１のシンボルからなり、前記第２のブロックは第２のシンボルからなる請求項１に記載の送信機。
【請求項４】
前記第１のシンボルおよび前記第２のシンボルは、シンボルストリームの連続するシンボルである請求項３に記載の送信機。
【請求項５】
前記第１のシンボルおよび前記第２のシンボルは、シンボルストリームの連続しないシンボルである請求項４に記載の送信機。
【請求項６】
前記第１のブロック、第２のブロック、前記第１のブロックの逆複素共役、および前記第２のブロックの逆複素共役を記憶し、前記第１の時間スロットの間に前記少なくとも２つのアンテナのうちの前記第１のアンテナから送信されるべき前記第２のブロックの前記逆複素共役、前記第１の時間スロットの後の前記第２の時間スロットの間に前記第１のアンテナから送信されるべき前記第１のブロック、前記第１の時間スロットの間に第２のアンテナから送信されるべき前記第１のブロックの前記逆複素共役、および前記プロセッサからの指示に応じて前記第２の時間スロットの間に前記第２のアンテナから送信されるべき前記第２のブロックを記憶するメモリをさらに備える請求項４に記載の送信機。
【請求項７】
伝送のためのシンボルを生成する方法であり、
第１のシーケンスを含む第１のブロックを生成することと、
第２のシーケンスを含む第２のブロックを生成することと、
前記第１のブロックの逆複素共役を形成することと、
前記第２のブロックの逆複素共役を形成することと、
第１のアンテナからの伝送のために前記第１のブロックが後に続く前記第２のブロックの前記逆複素共役を供給することと、
第２のアンテナからの伝送のために前記第２のブロックが後に続く前記第１のブロックの前記逆複素共役を供給することと、
を含む方法。
【請求項８】
前記第１のブロックは第１のシンボルからなり、前記第２のブロックは第２のシンボルからなる請求項７に記載の方法。
【請求項９】
前記第１のシンボルおよび前記第２のシンボルは、シンボルストリームの連続するシンボルである請求項８に記載の方法。
【請求項１０】
前記第１のシンボルおよび前記第２のシンボルは、シンボルストリームの連続しないシンボルである請求項７に記載の方法。
【請求項１１】
伝送のためのブロックを生成する方法であり、
第１のブロックを生成することと、
第２のブロックを生成することと、
前記第２のブロックの複素共役を形成することであり、前記第２のブロックの前記複素共役は１次であることと、
第１のアンテナからの伝送のために前記第１のブロックが後に続く前記１次の反転の前記第２のブロックの前記複素共役を供給することと、
を含む方法。
【請求項１２】
前記第１のブロックは第１のシンボルからなり、前記第２のブロックは第２のシンボルからなる請求項１１に記載の方法。
【請求項１３】
前記第１のシンボルおよび前記第２のシンボルは、シンボルストリームの連続するシンボルである請求項１２に記載の方法。
【請求項１４】
前記第１のシンボルおよび前記第２のシンボルは、シンボルストリームの連続しないシンボルである請求項１２に記載の方法。
【請求項１５】
前記第１のブロックの逆複素共役を形成することと、第２のアンテナからの伝送のために前記第２のブロックが後に続く前記第１のブロックの前記逆複素共役を供給することと、をさらに含む請求項１１に記載の方法。
【請求項１６】
第３のブロックを生成することと、前記第３のブロックの逆複素共役を形成することとをさらに含み、前記第２のアンテナからの伝送のために前記第２のブロックが後に続く前記第１のブロックの前記複素共役を供給することは、第２のアンテナからの伝送のために第２のブロックが後に続く前記第３のブロックの前記複素共役が後に続く前記第１のブロックの前記複素共役を供給することを含む請求項１５に記載の方法。
【請求項１７】
少なくとも２つのアンテナと、
入力と出力を備える少なくとも１つのＩＦＦＴブロックと、
前記少なくとも１つのＩＦＦＴブロックの前記出力に結合された入力と、第１のアンテナから送信されるべき第１のシンボル対と第２のアンテナから送信されるべき第２のシンボル対とを供給する出力と、を備える符号器であり、前記第１のシンボル対は第１のシーケンスを含む第１のシンボルと第２のシーケンスを含む第２のシンボルとを含み、前記第２のシンボル対は前記第２のシーケンスの反転次の前記第２のシンボルの複素共役と前記第１のシーケンスの反転次の前記第１のシンボルの複素共役とを含む符号器と、
を備える送信機。
【請求項１８】
前記第１の時間スロットおよび前記第２の時間スロットは、連続する時間スロットである請求項１７に記載の送信機。
【請求項１９】
前記第１のシンボルおよび前記第２のシンボルは、シンボルストリームの連続するシンボルである請求項１７に記載の送信機。
【請求項２０】
前記第１のシンボルおよび前記第２のシンボルは、シンボルストリームの連続しないシンボルである請求項１７に記載の送信機。
【請求項２１】
シーケンスを受信するのに適合した受信アンテナと、
第１の時間スロットの間に受信したシーケンスの複素共役を生成し、前記第１の時間スロットに続く第２の時間スロットの間に受信したシーケンスを複素共役を生成することなく処理し、前記第１の時間スロットの間に受信したシーケンスの前記複素共役と前記第２の時間スロットの間に受信した前記シーケンスとを組み合わせて復号されたシンボルを生成するよう構成されたプロセッサと、
を備える受信機。
【請求項２２】
前記第１の時間スロットおよび前記第２の時間スロットは、連続する時間スロットである請求項２０に記載の受信機。
【請求項２３】
前記シーケンスはシンボルを含み、前記プロセッサはさらに少なくともいくつかの前記シーケンスの前記複素共役の１次を逆数にする請求項２０に記載の受信機。
【請求項２４】
第１の受信シーケンスと第２の受信シーケンスはベクトル
【数２００】
2007538464.tif 000120
と
【数２０１】
2007538464.tif 000121
で
【数２０２】
2007538464.tif 000122
と表され、前記
【数２０３】
2007538464.tif 000123
は前記第１の送信チャネルに関連する前記インパルス応答であり、前記
【数２０４】
2007538464.tif 000124
は第２の送信チャネルに関連する前記インパルス応答であり、前記
【数２０５】
2007538464.tif 000125
および前記
【数２０６】
2007538464.tif 000126
は、それぞれ複素共役
【数２０７】
2007538464.tif 000127
を表し、前記
【数２０８】
2007538464.tif 000128
は第１および第２の送信チャネルに関連する雑音を示し、
【数２０９】
2007538464.tif 000129
は推定値
【数２１０】
2007538464.tif 000130
に対応し、前記
【数２１１】
2007538464.tif 000131
は推定値
【数２１２】
2007538464.tif 000132
に対応する請求項２０に記載の受信機。
【請求項２５】
前記プロセッサは、さらに
【数２１３】
2007538464.tif 000133
および
【数２１４】
2007538464.tif 000134
から
【数２１５】
2007538464.tif 000135
で定義されるベクトル
【数２１６】
2007538464.tif 000136
および
【数２１７】
2007538464.tif 000137
を生成するよう構成され、ここで
【数２１８】
2007538464.tif 000138
であり、
【数２１９】
2007538464.tif 000139
は単位行列であり、
【数２２０】
2007538464.tif 000140
であり、ρは信号対雑音比を表す請求項２３に記載の受信機。
【請求項２６】
少なくとも３つのアンテナと、
逆高速フーリエ変換を利用する複数のブロックの逆複素共役の生成を起こし、前記複数のブロックと前記複数のブロックの逆複素共役をユニタリー行列に基づく伝送方式にしたがって複数の連続する時間スロット中で前記少なくとも３つのアンテナから送信させるプロセッサと、
を備える送信機。
【請求項２７】
前記複数のブロックは、複数の時間領域シンボルを含む請求項２６記載の送信機。
【請求項２８】
前記複数の時間領域シンボルは、シンボルストリームの連続するシンボルである請求項２７に記載の送信機。
【請求項２９】
前記複数の時間領域シンボルは、シンボルストリームの連続しないシンボルである請求項２７に記載の送信機。
【請求項３０】
前記複数のブロックと前記複数のブロックの逆複素共役を記憶し、前記複数のブロックと前記ユニタリー行列に基づく前記複数の連続する時間スロット中で送信されるべき前記複数のブロックの逆複素共役とを記憶するメモリをさらに備える請求項２６に記載の送信機。
【請求項３１】
伝送のためのシンボルを生成する方法であり、
複数のブロックを生成することと、
逆高速フーリエ変換を利用して前記複数のブロックの逆複素共役を生成することと、
ユニタリー行列に基づく伝送方式にしたがって複数の連続する時間スロット中で少なくとも３つのアンテナから送信されるべき前記複数のブロックと前記複数のブロックの逆複素共役とを供給することと、
を含む方法。
【請求項３２】
前記複数のブロックは複数の時間領域シンボルを含む請求項３１に記載の方法。
【請求項３３】
前記複数の時間領域シンボルは、シンボルストリームの連続するシンボルである請求項３１に記載の方法。
【請求項３４】
前記複数の時間領域シンボルは、シンボルストリームの連続しないシンボルである請求項３１に記載の方法。
【発明の詳細な説明】
【分野】
【０００１】
本開示は、無線通信システムに関し、特に直交周波数分割多重システムにおける送信ダイバーシティに関する、
【背景】
【０００２】
無線デジタル通信およびデータ処理システムへの要求が増えている。多くのデジタル通信チャネルには、いくつかの特性を有するチャネル上でデータを含むフレーム、パケット、またはセルを転送する時に取り込まれるエラーが本来備わっている。そのようなエラーは、多くの場合、干渉雑音や熱雑音により起こる。無線伝送システムのビットエラー率は、そのようなシステムを介して送信されるべきデータに対する符号化及び復号方式の設計において、ある問題を引き起こす。一つはその数学的な扱いやすさのため、一つは広範な種類の物理的な通信チャネルへの応用のため、加法性白色ガウス雑音（ＡＷＧＮ）モデルが、多くの通信チャネルにおける雑音の特性を明らかにするためによく用いられる。
【０００３】
無線通信システムの１つのタイプが直交周波数分割多重（ＯＦＤＭ）システムである。ＯＦＤＭは、全システム帯域幅を複数（Ｎ）の直交周波数サブキャリアに分割するマルチキャリア変調技術である。これらのサブキャリアは、トーン、ビンおよび周波数チャネルとも呼ぶことができる。各サブキャリアは、データと共に変調することができる。各ＯＦＤＭシンボル期間におけるＮ総サブキャリア上で、Ｎ変調シンボルまで送ることができる。これらの変調シンボルは、Ｎ点逆高速フーリエ変換（ＩＦＦＴ）で時間−領域に変換され、Ｎ時間−領域チップまたはサンプルを含む変換シンボルを生成する。
【０００４】
伝送ダイバーシティを改善するために、Alamouti「空間−時間ブロック符号化、無線通信のための簡易な送信ダイバーシティ技術」、通信における選択された分野のＩＥＥＥ機関誌、１６巻１４５１−１４５８頁、１９９８年１０月に記載されているように、２つの各伝送パスにおける空間−時間ブロック符号化が開発された。この内容は全体が参照により本明細書に組み込まれている。チャネルは、時間／周波数が不変（均一）であると仮定され、さらに少なくも２つの連続するシンボル上で一定のままであると仮定される。
【０００５】
Alamoutiで述べられる伝送方式に従って、当初のシンボルシーケンスｘ（ｎ）が２つの連続するシンボルｘｋ（ｎ）およびｘｋ＋１（ｎ）のブロックに分割される。Alamoutiでは、続いてすべてのシンボルの対が以下に従ってマッピングされる。
【数１】
2007538464.tif 000003
【０００６】
ここで簡単にするために、時間−指数（time-index）ｎは式（１．１）に含まれない。
【０００７】
シンボルｘｋおよびｘ＊ｋ＋１は、それぞれ第１および第２の送信アンテナから時間ｋで送信される。シンボル−ｘｋ＋１およびｘ＊ｋは、それぞれ第１および第２の送信アンテナから時間ｋ＋１で送信される。時間ｋおよびｋ＋１での対応する受信信号ｒｋ，ｒｋ＋１は、以下の式で定義される。
【数２】
2007538464.tif 000004
【０００８】
ここで、ｈ１およびｈ２はそれぞれ第１および第２の伝送パスに関連するチャネルを表し、さらに２つのシンボル期間にわたって一定であると仮定される。受信信号ｒｋ，ｒｋ＋１は、次のように書くことができる。
【数３】
2007538464.tif 000005
【０００９】
チャネル行列
【数４】
2007538464.tif 000006
【００１０】
は直交であり、この送信ダイバーシティ方式のための整合フィルタ受信機である最適な受信機が
【数５】
2007538464.tif 000007
【００１１】
を
【数６】
2007538464.tif 000008
【００１２】
で乗じ、ｘｋおよびｘｋ＋１に対する２つの決定統計値を得、すなわち、送信シンボルを回復する。この方法を用いることにより、２のダイバーシティ次数が、単一の受信アンテナを有する受信機で得られる。
【００１３】
上述した方法は、時間−領域演算を周波数−領域演算に替えることにより、ＯＦＤＭシステムの使用に適合することができる。ＸｋおよびＸｋ＋１は、ＯＦＤＭシステムにおいてサブキャリアｎおよびｎ＋１上で送信されるべき２つのＯＦＤＭシンボルであると仮定する。さらに、各送信アンテナｍに対して、チャネルは２つの連続するサブキャリアにわたって一定のままであると仮定する。すなわち、
【数７】
2007538464.tif 000009
【００１４】
時間−領域演算を周波数−領域演算に替えることにより、サブキャリアｎおよびｎ＋１に対応する受信信号ベクトルは、次のように書くことができ、
【数８】
2007538464.tif 000010
【００１５】
したがって２のダイバーシティを得る。
【００１６】
図１は、上述したＯＦＤＭ送信機１０の一部のブロック図である。サイズＮの各ＯＦＤＭシンボルは、シンボル対［Ｘｎ，Ｘｎ＋１］のＮ／２グループに分けられる。次に、そのようなシンボルの各対は、時間−周波数符号器１２により符号化され、２つの異なるシンボルの対［Ｘｎ，−Ｘｎ＋１］および［Ｘ＊ｎ＋１，Ｘ＊ｎ］を生成する。シンボル対［Ｘｎ，−Ｘｎ＋１］は、逆高速フーリエ変換（ＩＦＦＴ）１８ブロックに供給されるＮ−シンボルベクトルにグループ化され、それに応じて逆高速フーリエ変換（ＩＦＦＴ）１８ブロックは、アンテナ１４から送信される関連する時間−領域ベクトルｘ１を生成する。同様に、シンボル対［Ｘ＊ｎ＋１，Ｘ＊ｎ］は、ＩＦＦＴ２０ブロックに供給される他のＮ−シンボルベクトルにグループ化され、それに応じてＩＦＦＴ２０ブロックは、アンテナ１６から送信される関連する時間−領域ベクトルｘ２を生成する。
【００１７】
図１から分かるように、また上述したように、時間−周波数符号化は入力シンボル上、すなわち周波数領域中で行われる。そのため、空間−符号器１２は、２つの異なるストリームを生成することが必要とされ、したがってそれぞれ異なる送信アンテナに関連する２つの別々のＩＦＦＴブロック１８，２０が、すべての送信ＯＦＤＭシンボルに対して必要とされる。
【発明の開示】
【００１８】
実施形態において、送信機は少なくとも２つのアンテナとプロセッサを備える。プロセッサは、第２のブロックの逆複素共役を第１の時間スロットの間に第１のアンテナから送信させ、第１のブロックを第１の時間スロットの後の第２の時間スロットの間に第１のアンテナから送信させ、かつ第１のブロックの逆複素共役を第１の時間スロットの間に第２のアンテナから送信させ、第２のブロックを第２の時間スロットの間に第２のアンテナから送信させる。
【００１９】
他の実施形態において、方法は、第１のシーケンスを含む第１のブロックを生成することと、第２のシーケンスを含む第２のブロックを生成することと、第１のブロックの逆複素共役を形成することと、第２のブロックの逆複素共役を形成することと、第１のアンテナからの伝送のために第１のブロックが後に続く第２のブロックの逆複素共役を供給することと、第２のアンテナからの伝送のために第２のブロックが後に続く第１のブロックの逆複素共役を供給することと、を含む。
【００２０】
さらなる実施形態において、伝送のためのブロックを生成する方法は、第１のブロックを生成することと、第２のブロックを生成することと、第２のブロックの複素共役を形成することと、第１のアンテナからの伝送のために第１のブロックが後に続く１次の反転の第２のブロックの前記複素共役を供給することと、を含む。
【概要】
【００２１】
本出願は、２００４年５月１７日に出願され「時間領域処理によるＯＦＤＭのための空間−時間ブロック符号化」と題された仮出願６０／５７２，１６０号から優先権を主張する。これは本出願の譲受人に譲渡され、全体が参照により本明細書に完全に組み込まれている。
【詳細な説明】
【００２２】
図２を参照すると、ＭＩＭＯシステム１００における送信機システム１１０と受信機システム１５０の実施形態のブロック図が示されている。送信機システム１１０において、複数のデータストリームに対するトラヒックデータがデータソース１１２から送信（ＴＸ）データプロセッサ１１４に供給される。実施形態において、各データストリームは各送信アンテナによって送信される。ＴＸデータプロセッサ１１４は、そのデータストリームのために選択された特定の符号化シーケンスに基づき、各データストリームに対するトラヒックデータをフォーマットし、符号化し、インタリーブして、符号化されたデータを供給する。
【００２３】
各データストリームに対する符号化データは、例えば時分割多重（ＴＤＭ）または符号分割多重（ＣＤＭ）を用いて、パイロットデータで多重化することができる。パイロットデータは、典型的には（仮にあるとしたら）既知の方法で処理される既知のデータパターンであり、チャネル応答を推定するために受信機システムで用いることができる。次に、各データストリームに対する多重化されたパイロットと符号化されたデータは、変調シンボルを供給するために、そのデータストリームのために選択された特定の変調方式（例えば、ＢＰＳＫ、ＱＳＰＫ、Ｍ−ＰＳＫ、またはＭ−ＱＡＭ）に基づいて変調される（すなわち、シンボルマッピングされる）。各データストリームのためのデータ速度、符号化、および変調は、プロセッサ１３０により供給される制御により決定することができる。
【００２４】
次に、全てのデータストリームに対する変調シンボルはＴＸ・ＭＩＭＯプロセッサ１２０に供給され、ＴＸ・ＭＩＭＯプロセッサ１２０は、（例えばＯＦＤＭに対して）さらに変調シンボルを処理することができる。次に、ＴＸ・ＭＩＭＯプロセッサ１２０は、ＮＴ変調シンボルストリームをＮＴ送信機（ＴＭＴＲ）１２２ａ乃至１２２ｔに供給する。実施形態において、ＴＸ・ＭＩＭＯプロセッサ１２０は、伝送シンボルが対で送信されるように整えられるよう、変調シンボルを供給することができる。ここで、各対は、少なくとも２つのアンテナから、そして他のアンテナから同じ対の一部として送信されるシンボルの連続逆複素共役バージョンである各シンボルとともに送信される。
【００２５】
各送信機１２２は、シンボルストリームの形式のシンボル対を受信して処理し、１つあるいはそれ以上のアナログ信号を供給し、さらにアナログ信号を調整し（例えば、増幅、フィルタリング、およびアップコンバート）、ＭＩＭＯチャネル上での伝送に適した変調信号を供給する。次に、送信機１２２ａ乃至１２２ｔからのＮＴ変調信号は、それぞれＮＴアンテナ１２４ａ乃至１２４ｔから送信される。
【００２６】
受信機システム１５０において、送信された変調信号は、ＮＲアンテナ１５２ａ乃至１５２ｒにより受信され、各アンテナ１５２からの受信信号は各受信機（ＲＣＶＲ）１５４に供給される。各受信機１５４は、各受信信号を調整し（例えば、フィルタリング、増幅、およびダウンコンバート）、調整された信号をデジタル化してサンプルを供給し、さらにサンプルを処理して対応する「受信」シンボルストリームを供給する。
【００２７】
次に、ＲＸ・ＭＩＮＯ／データプロセッサ１６０は、特定の受信機処理技術に基づいてＮＲ受信機１５４からＮＲ受信シンボルストリームを受信して処理し、ＮＴ「検出」シンボルストリームを供給する。ＲＸ・ＭＩＮＯ／データプロセッサ１６０による処理は、以下でさらに詳しく述べる。各検出シンボルストリームは、対応するデータストリームに対して送信された変調シンボルの推定値であるシンボルを含む。次に、ＲＸ・ＭＩＮＯ／データプロセッサ１６０は、各検出シンボルストリームを復調し、デインタリーブし、復号してデータストリームに対するトラヒックデータを回復する。ＲＸ・ＭＩＮＯ／データプロセッサ１６０による処理は、送信機システム１１０におけるＴＸ・ＭＩＭＯプロセッサ１２０とＴＸデータプロセッサ１１４により行われることを補う。
【００２８】
ＲＸ・ＭＩＮＯプロセッサ１６０は、例えばトラヒックデータとともに多重化されたパイロットに基づいて、ＮＴ送信アンテナとＮＲ受信アンテナの間のチャネル応答の推定値を導くことができる。チャネル応答推定は、受信機における空間または空間／時間処理を行うのに用いることができる。ＲＸ・ＭＩＮＯプロセッサ１６０は、さらに検出シンボルストリームの信号対雑音および干渉率（ＳＮＲ）と、場合により他のチャネル特性を推定し、これらの量をプロセッサ１７０に供給することができる。ＲＸ・ＭＩＮＯ／データプロセッサ１６０またはプロセッサ１７０は、さらにシステムに対する「動作」ＳＮＲの推定値を導くことができ、これは通信リンクの状態を表す。次に、プロセッサ１７０は、チャネル状態情報（ＣＳＩ）を供給し、これは通信リンクおよび／または受信データストリームに関する様々なタイプの情報を含むことができる。例えば、ＣＳＩは動作ＳＮＲのみを含むことができる。次に、ＣＳＩはＴＸデータプロセッサ１７８により処理され、変調器１８０により変調され、送信機１５４ａ乃至１５４ｒにより調整され、送信機システム１１０に返送される。
【００２９】
送信機システム１１０において、受信機システム１５０からの変調信号がアンテナ１２４で受信され、受信機１２２で調整され、復調器１４０で復調され、ＲＸデータプロセッサ１４２で処理され、受信機システムにより伝えられたＣＳＩを回復する。次に、伝えられたＣＳＩは、プロセッサ１３０に供給され、（１）データストリームのために用いられるべきデータ速度と符号化および変調方式を決め、（２）ＴＸデータプロセッサ１１４およびＴＸ・ＭＩＭＯプロセッサ１２０に対する様々な制御を生成するのに用いられる。
【００３０】
プロセッサ１３０および１７０は、それらが結合され適切な送信データプロセッサおよび受信データプロセッサを含む送信機システムおよび受信機システムにおいて動作を指示する。メモリ１３２および１７２は、それぞれプロセッサ１３０および１７０により用いられるプログラムコードおよびデータに記憶容量を提供する。
【００３１】
図３を参照すると、一実施形態による複数の送信アンテナを含む送信機システムの機能ブロック図が示されている。一実施形態において、別々のデータ速度と符号化および変調方式がＮＴ送信アンテナ上で送信されるべき各ＮＴデータストリームに対して用いられる（すなわち、アンテナごとに基づく別々の符号化および変調）。各送信アンテナに対して用いられるべき特定のデータ速度と符号化および変調方式は、プロセッサ１３０により供給される制御に基づいて決定することができ（図１）、データ速度は上述したように決定することができる。
【００３２】
送信機ユニット１００は、一実施形態において、別々の符号化および変調方式にしたがって各データストリームを受信し、符号化し、変調して、変調シンボルを供給する送信データプロセッサ２０２と送信ＭＩＭＯを含む。送信データプロセッサ２０２および送信プロセッサ２０４は、それぞれ図１の送信データプロセッサ１１４および送信プロセッサ１２０の一実施形態である。
【００３３】
一実施形態において、図２に示すように、送信データプロセッサ２０２は、逆多重化器２１０、ＮＴ符号器２１２ａ乃至２１２ｔ、およびＮＴチャネルインタリーバ２１４ａ乃至２１４ｔ（すなわち、各送信アンテナに対する逆多重化器、符号器、およびチャネルインタリーバの１セット）を含む。逆多重化器２１０は、データ（すなわち情報ビット）をデータ伝送に用いられるべきＮＴ送信アンテナに対するＮＴデータストリームに逆多重化する。ＮＴデータストリームは、一実施形態においてプロセッサ１３０または１７０により提供することができる速度制御機能により決定されるような異なるデータ速度に関連することができる（図１）。各データストリームは、各符号器２１２ａ乃至２１２ｔに供給される。
【００３４】
各符号器２１２ａ乃至２１２ｔは、データストリームに対して選択された特定の符号化方式に基づいて各データストリームを受信して符号化し、符号化されたビットを供給する。一実施形態において、符号化はデータ伝送の信頼性を高めるために用いることができる。符号化方式は、一実施形態において、巡回冗長検査（ＣＲＣ）符号化、畳み込み符号化、ターボ符号化、ブロック符号化等の任意の組み合わせを含むことができる。次に、各符号器２１２ａ乃至２１２ｔからの符号化ビットは、各チャネルインタリーバ２１４ａ乃至２１４ｔに供給され、これらは特定のインタリービング方式に基づいて符号化ビットをインタリーブする。インタリービングは、符号化ビットに対して時間ダイバーシティを提供し、データストリームに対して用いられる伝送チャネルのための平均ＳＮＲに基づいてデータが送信されることを可能にし、フェージングを抑制し、さらに各変調シンボルを形成するのに用いられる符号化ビット間の相関性を除去する。
【００３５】
各チャネルインタリーバ２１４ａ乃至２１４ｔからの符号化されインタリーブされたビットは、送信プロセッサ２０４の各シンボルマッピングブロック２２２ａ乃至２２２ｔに供給され、これらは、これらのビットをマッピングし変調シンボルを形成する。
【００３６】
各シンボルマッピングブロック２２２ａ乃至２２２ｔにより実施されるべき特定の変調方式は、プロセッサ１３０により供給される変調制御により決められる（図１）。各シンボルマッピングブロック２２２ａ乃至２２２ｔは、ｑｊ符号化およびインタリーブされたビットのセットをグループ化して非２進シンボルを形成し、さらに各非２進シンボルを、選択された変調方式（例えば、ＱＰＳＫ、Ｍ−ＰＳＫ、Ｍ−ＱＡＭ、またはいくつかの他の変調方式）に対応する信号群における特定の点にマッピングする。マッピングされた各信号点はＭｊの変調シンボルに対応し、ここでＭｊはｊ番目のアンテナに対して選択された特定の変調方式、およびＭｊ＝２ｑｊに対応する。次に、シンボルマッピングブロック４２２ａ乃至２２２ｔは、変調シンボルのＮＴストリームを供給する。
【００３７】
図３に示した特定の実施形態において、送信プロセッサ３０４も、シンボルマッピングブロック２２２ａ乃至２２２ｔに加えて、変調器２２４および逆高速フーリエ変換（ＩＦＦＴ）ブロック２２６ａ乃至２２６ｔを含む。変調器２２４は、サンプルを変調し、適切なサブ帯域および送信アンテナ上のＮＴストリームに対する変調シンボルを形成する。さらに、変調器２２４は禁止された電力レベルで各ＮＴシンボルストリームを供給する。一実施形態において、変調器２２４は、プロセッサ、例えばプロセッサ１３０または１７０により制御されるＦＨシーケンスにしたがってシンボルを変調することができる。そのような実施形態において、ＮＴシンボルストリームが変調される周波数は、シンボル、フレーム、または伝送サイクルのフレームの部分の各グループまたはブロックに対して変化することができる。
【００３８】
各ＩＦＦＴブロック２２６ａ乃至２２６ｔは、変調器２２４から各変調シンボルストリームを受信する。各ＩＦＦＴブロック２２６ａ乃至２２６ｔは、ＮＦ変調シンボルのセットをグループ化して対応する変調シンボルベクトルを形成し、逆高速フーリエ変換を用いて、各変調シンボルベクトルを（ＯＦＤＭシンボルとして参照される）その時間−領域表示に変換する。ＩＦＦＴブロック２２６ａ乃至２２６ｔは、任意の数の周波数サブチャネル（例えば、８，１６，３２，…，ＮＦ，）上で逆変換を行うよう設計することができる。ＩＦＦＴブロック２２６ａ乃至２２６ｔにより生成された変調シンボルベクトルの各時間−領域表示は、符号器２２８に供給される。
【００３９】
図２の実施形態において、変調されたデータは、シンボルストリーム、例えばシンボル
【数９】
2007538464.tif 000011
【００４０】
において供給されることができるシンボルを含む。ＩＦＦＴブロック２２６ａ乃至２２６ｔは、シンボルストリーム、シンボル
【数１０】
2007538464.tif 000012
【００４１】
を受信し、各シンボルのサンプルに対応する各シンボルの時間領域シーケンス、例えばシンボル
【数１１】
2007538464.tif 000013
【００４２】
に対するシーケンスｘｉ、シンボル
【数１２】
2007538464.tif 000014
【００４３】
に対するシーケンスｘｉ＋１、およびシンボル
【数１３】
2007538464.tif 000015
【００４４】
に対するシーケンスｘｎを供給する。符号器２２８は、受信シーケンスｘｉ，ｘｉ＋１，…ｘｎを用いて、シーケンス
【数１４】
2007538464.tif 000016
【００４５】
を生成する。ここで、
【数１５】
2007538464.tif 000017
【００４６】
は、シーケンスｘｉの逆複素共役（reversed complex conjugate）シーケンス、
【数１６】
2007538464.tif 000018
【００４７】
は、シーケンスｘｉ＋１に関連する逆複素共役シーケンス、などである。符号器２２８は、シンボル対を送信機２３０ａ乃至２３２ｔに供給し、それにより２つあるいはそれ以上のアンテナから送信される任意のシンボル対は、第１および第２の時間スロット中で、第１のアンテナ例えばアンテナ２３２ａから
【数１７】
2007538464.tif 000019
【００４８】
の形式で送信され、第１および第２の時間スロット中で、第２のアンテナ例えばアンテナ２３２ｂから
【数１８】
2007538464.tif 000020
【００４９】
の形式で送信される。言い換えると、時間スロットｉの間、シーケンス
【数１９】
2007538464.tif 000021
【００５０】
は送信アンテナ２３２ａから送信され、シーケンス
【数２０】
2007538464.tif 000022
【００５１】
は送信アンテナ２３２ｂから送信される。時間スロットｉ＋１において、シーケンス
【数２１】
2007538464.tif 000023
【００５２】
は送信アンテナ２３２ａから送信され、シーケンスｘｉ＋１は送信アンテナ２３２ａから送信される。
【００５３】
シンボルストリームまたはシンボルのグループ
【数２２】
2007538464.tif 000024
【００５４】
に対応するのは、ｉ番目のＯＦＤＭシンボル中のｎ番目の情報シンボルである。ｉ番目ＯＦＤＭシンボルに対するシーケンスは、ベクトルフォーマットで
【数２３】
2007538464.tif 000025
【００５５】
として定義することができる。
【００５６】
ｘｉ（ｋ），ｋ＝０，１，…，Ｎ−１は対応するＩＦＦＴ出力（すなわちシンボル
【数２４】
2007538464.tif 000026
【００５７】
の時間領域サンプル）を表し、シンボルエネルギーＥＳ＝｛Ｘｉ（ｎ）Ｘ＊ｉ（ｎ）｝は１、すなわちシンボルの伝送のために割り当てられる最大エネルギーであるとする。さらに、シーケンスｘｉおよびｘｉ＋１は、連続するＯＦＤＭシンボル
【数２５】
2007538464.tif 000027
【００５８】
および
【数２６】
2007538464.tif 000028
【００５９】
の対応するＩＦＦＴを表す。
【数２７】
2007538464.tif 000029
【００６０】
およびｘｉ＋１を用いて、シーケンス
【数２８】
2007538464.tif 000030
【００６１】
および
【数２９】
2007538464.tif 000031
【００６２】
は、以下のように定義される。
【数３０】
2007538464.tif 000032
【００６３】
ここで、
【数３１】
2007538464.tif 000033
【００６４】
はスカラーに対する複素共役演算とベクトルおよび行列に対する要素ごとの複素共役を示す。したがって、
【数３２】
2007538464.tif 000034
【００６５】
および
【数３３】
2007538464.tif 000035
【００６６】
は、通常逆数であり、それぞれｘｉおよびｘｉ＋１の要素ごとの複素共役シーケンスである。
【００６７】
符号器２２８の出力は、巡回プレフィックス生成器２３０ａ乃至２３０ｔに結合される。巡回プレフィックス生成器２３０ａ乃至２３０ｔは、一般にＯＦＤＭシンボルの端部からの複数のサンプルである固定数のサンプルのプレフィックスを、ＯＦＤＭシンボルを構成するＮＳサンプルの先頭に追加し、対応する伝送シンボルを形成する。プレフィックスは、周波数選択フェージングにより引き起こされるチャネル分散のような有害なパス効果に対して性能を改善するように設計される。
【００６８】
巡回プレフィックス生成器２３０ａ乃至２３０ｔによるシンボル出力は、関連する送信機２３２ａ乃至２３２ｔに供給され、送信機２３２ａ乃至２３２ｔは、アンテナ２３４ａ乃至２３４ｔにより送信されるべきシンボルを起こす。
【００６９】
なお、上記では
【数３４】
2007538464.tif 000036
【００７０】
および
【数３５】
2007538464.tif 000037
【００７１】
をシンボルと称し、ｘｉおよびｘｉ＋１を、シンボル
【数３６】
2007538464.tif 000038
【００７２】
および
【数３７】
2007538464.tif 000039
【００７３】
の時間領域シーケンスと称したが、同じ方法がシンボルまたはシーケンスのブロックに適用できる。例えば、
【数３８】
2007538464.tif 000040
【００７４】
および
【数３９】
2007538464.tif 000041
【００７５】
がそれぞれ
【数４０】
2007538464.tif 000042
【００７６】
シンボルを示すことができ、ここで
【数４１】
2007538464.tif 000043
【００７７】
は１よりも大きいか１よりも小さくなる。そのような場合、ｘｉおよびｘｉ＋１は
【数４２】
2007538464.tif 000044
【００７８】
シンボルの時間−領域シーケンスを表すであろうし、
【数４３】
2007538464.tif 000045
【００７９】
および
【数４４】
2007538464.tif 000046
【００８０】
は
【数４５】
2007538464.tif 000047
【００８１】
シンボルの逆複素共役（reversed complex conjugates）である。
【００８２】
上記は２つの時間スロット上で送信される２つのシンボルを利用する実施形態に関し、より多くの時間スロット上のより多くのシンボルも本明細書中で述べられる実施形態に関連して利用することができる。そのような実施形態において、伝送シンボルの数とアンテナの数で定義される行列はユニタリー行列である。これは、伝送のために異なる速度が利用されることを可能にし、すなわちｎ＞ｍの場合のｍ送信アンテナ当たりのｎ送信シンボルである。例えば、アンテナａ１，ａ２，およびａ３からなる３つのアンテナシステムはシンボルｘ１、ｘ２，ｘ３を送信することができ、ｘ４は行列Ｍｔによるｘで定義される以下の伝送方式を利用することができる。
【数４６】
2007538464.tif 000048
【００８３】
ここで、
【数４７】
2007538464.tif 000049
【００８４】
および
【数４８】
2007538464.tif 000050
【００８５】
は、それぞれシンボルｘ１、ｘ２，ｘ３，およびｘ４の時間逆複素共役であり、−ｘ２，−ｘ３，および−ｘ４は、それぞれ反転シンボル（inverted symbols）ｘ２，ｘ３，およびｘ４であり、
【数４９】
2007538464.tif 000051
【００８６】
および
【数５０】
2007538464.tif 000052
【００８７】
は、それぞれシンボルｘ２，ｘ３，およびｘ４の反転複素共役（inverted complex conjugates）である。シンボルの次数（order）は、符号器２２８により
【数５１】
2007538464.tif 000053
【００８８】
、またはユニタリー行列に基づく任意の他の方式で指定される次数で供給されることができる。ある実施形態において、符号器２２８はメモリ、例えば時間領域シンボル、それらの複素共役、それらの反転、および反転複素共役を記憶する１つあるいはそれ以上のバッファを備えることができ、そしてそれらをユニタリー行列に基づく方式に基づいて複数の送信アンテナに出力することができる。
【００８９】
図４を参照すると、一実施形態に関連する伝送のための各巡回プレフィックスを有するシンボルが示されている。時間スロットｉにおいて、時間−領域シーケンスｘｉはその巡回プレフィックスに加えられて第１の送信アンテナから送信され、時間−領域シーケンス
【数５２】
2007538464.tif 000054
【００９０】
はその巡回プレフィックスに加えられて第２の送信アンテナから送信される。時間スロットｉ＋１において、時間−領域シーケンスｘｉ＋１はその巡回プレフィックスに加えられて第１の送信アンテナから送信され、時間−領域シーケンス
【数５３】
2007538464.tif 000055
【００９１】
はその巡回プレフィックスに加えられて第２の送信アンテナから送信される。
【００９２】
図５を参照すると、一実施形態に関連するＯＦＤＮ受信機のいくつかのブロックの簡略化した高レベルブロック図が示されている。受信機４００は、受信アンテナ４０２を介してシーケンスｙｉおよびｙｉ＋１を受信し、シーケンスを復調し復号するのに適している。図５から分かるように、受信機４００は、部分的に、離散型フーリエ変換ブロック４０４、それぞれがブロックが受信する関数である複素共役関数を供給する処理ブロック４０６および４０８、復号器／等化器ブロック４１０、および時間逆演算を行うブロック４１２を含むものとして表されている。
【００９３】
シンボルまたはブロックの伝送において、ｈｍ（ｋ）は、二つの送信アンテナｍ、ｍ＝１，２、に対するシンボル間隔を空けたチャネルインパルス応答を表し、ここで第１の送信アンテナはｍ＝１で表され、第２の送信アンテナはｍ＝２で表される。この場合、ｈｍ（ｋ）は
【数５４】
2007538464.tif 000056
【００９４】
と定義される。
【００９５】
ブロックまたはシンボルの受信機において、シーケンスｙｉおよびｙｉ＋１は、それぞれ、除去された各巡回プレフィックスを有する送信シーケンスｘｉおよびｘｉ＋１である時間スロットｉおよびｉ＋１に対応する受信時間−領域シーケンスを表す。
【００９６】
受信アンテナ４０２により受信されるシーケンスｙｉおよびｙｉ＋１は、以下のように示され、
【数５５】
2007538464.tif 000057
【００９７】
以下のように表すことができる。
【数５６】
2007538464.tif 000058
【００９８】
ここで、両シーケンスｖｉおよびｖｉ＋１は、共分散
【数５７】
2007538464.tif 000059
【００９９】
を有する白色独立単一分布(i.i.d)ガウスランダム雑音ベクトルである。したがって、信号対雑音比（ＳＮＲ）は、
【数５８】
2007538464.tif 000060
【０１００】
である。ここで、
【数５９】
2007538464.tif 000061
【０１０１】
、ｍ＝１，２は送信アンテナｍに対応するチャネル行列であり、
【数６０】
2007538464.tif 000062
【０１０２】
で得られる。
【０１０３】
行列
【数６１】
2007538464.tif 000063
【０１０４】
は循環であり、以下の固有値分解を有する。
【数６２】
2007538464.tif 000064
【０１０５】
ここで、
【数６３】
2007538464.tif 000065
【０１０６】
は以下に示すようなＮ×Ｎ離散型フーリエ変換行列（ＤＦＴ）であり、
【数６４】
2007538464.tif 000066
【０１０７】
および
【数６５】
2007538464.tif 000067
【０１０８】
は、対角がｈｍ，０，ｈｍ，１，…，ｈｍ，ＬのＮ点ＤＦＴである対角固有値行列である。
【０１０９】
ＤＦＴ特性
【数６６】
2007538464.tif 000068
【０１１０】
ここで定義により
【数６７】
2007538464.tif 000069
【０１１１】
を用いて、次の式（２．７）が得られる。ＦＦＴブロック４０２は、シンボル（信号ベクトル）ｙｉを受信し、それに応じて、信号ベクトル
【数６８】
2007538464.tif 000070
【０１１２】
を生成する。またＦＦＴブロック４０２は、信号ベクトルｙｉ＋１を受信し、それに応じて、信号ベクトル
【数６９】
2007538464.tif 000071
【０１１３】
を生成する。信号ベクトル
【数７０】
2007538464.tif 000072
【０１１４】
および
【数７１】
2007538464.tif 000073
【０１１５】
は、以下に示すように表される。
【数７２】
2007538464.tif 000074
【０１１６】
信号ベクトル
【数７３】
2007538464.tif 000075
【０１１７】
が、復号器／等化器ブロック４１０に送られる。信号
【数７４】
2007538464.tif 000076
【０１１８】
は、処理ブロック１０４に送られ、それに応じて、処理ブロック１０４は複素共役ベクトル信号
【数７５】
2007538464.tif 000077
【０１１９】
を生成し、復号器／等化器ブロック４１０に送る。
【０１２０】
式（２．１０）は、
【数７６】
2007538464.tif 000078
【０１２１】
と書くことができ、ここで
【数７７】
2007538464.tif 000079
【０１２２】
は
【数７８】
2007538464.tif 000080
【０１２３】
ベクトルである。ＤＦＴ行列
【数７９】
2007538464.tif 000081
【０１２４】
は、直交行列であり、雑音ベクトル
【数８０】
2007538464.tif 000082
【０１２５】
も白色である。したがって、復号／等化フィルター演算だけでなく最小平均二乗誤差（ＭＭＳＥ）を行うのにも適した復号器／等化器ブロック４１０は、次の行列フィルター
【数８１】
2007538464.tif 000083
【数８２】
2007538464.tif 000084
【０１２６】
で特徴づけられる。
【０１２７】
第１および第２の伝送チャネルに関連するチャネルインパルス応答は、それぞれ
【数８３】
2007538464.tif 000085
【０１２８】
および
【数８４】
2007538464.tif 000086
【０１２９】
で表されるものと仮定する。行列
【数８５】
2007538464.tif 000087
【０１３０】
は、次のように定義される。
【数８６】
2007538464.tif 000088
【０１３１】
行列
【数８７】
2007538464.tif 000089
【０１３２】
は、（ｎ，ｎ）要素ｄｎｎが次のように示されるＮ×Ｎ対角行列である。
【数８８】
2007538464.tif 000090
【０１３３】
行列
【数８９】
2007538464.tif 000091
【０１３４】
は
【数９０】
2007538464.tif 000092
【０１３５】
と定義され、ここでρはＳＮＲである。したがって、
【数９１】
2007538464.tif 000093
【０１３６】
である。したがって、行列
【数９２】
2007538464.tif 000094
【０１３７】
は次に示すように定義することができる。
【数９３】
2007538464.tif 000095
【０１３８】
式（２．１３）から分かるように、行列フィルタ
【数９４】
2007538464.tif 000096
【０１３９】
は、２つの部分を含む。第１の部分
【数９５】
2007538464.tif 000097
【０１４０】
は、空間−時間ブロックコードの復号演算を表す。第２の部分
【数９６】
2007538464.tif 000098
【０１４１】
は、ＭＭＳＥ周波数領域等化器部分を表す。行列フィルタ
【数９７】
2007538464.tif 000099
【０１４２】
を受信信号ベクトル
【数９８】
2007538464.tif 000100
【０１４３】
に当てはめることにより、次が得られる。
【数９９】
2007538464.tif 000101
【０１４４】
ベクトル
【数１００】
2007538464.tif 000102
【０１４５】
および
【数１０１】
2007538464.tif 000103
【０１４６】
は、復号器／等化器ブロック４１０により生成される。式（２．１４）は、以下に示すように書き換えることができる。
【数１０２】
2007538464.tif 000104
【０１４７】
したがって、行列
【数１０３】
2007538464.tif 000105
【０１４８】
は、（ｎ，ｎ）要素ｇｎｎが以下で示される対角行列であることが分かる。
【数１０４】
2007538464.tif 000106
【０１４９】
また、次の式が当てはまることが分かる。
【数１０５】
2007538464.tif 000107
【０１５０】
ここで、
【数１０６】
2007538464.tif 000108
【０１５１】
は、要素ζｎｎが以下の式で得られる（ｎ、ｎ）対角行列（ｎ，ｎ）である。
【数１０７】
2007538464.tif 000109
【０１５２】
ここで、
【数１０８】
2007538464.tif 000110
【０１５３】
と
【数１０９】
2007538464.tif 000111
【０１５４】
は、両方とも独立単一分布(i.i.d)ガウスランダムベクトルである。
【０１５５】
式（２．１５）、（２．１６）、および（２．１７）を用いて、ｉ番目のＯＦＤＭブロック中で送信されるｎ番目の情報シンボルであるシンボル
【数１１０】
2007538464.tif 000112
【０１５６】
に対する決定統計値
【数１１１】
2007538464.tif 000113
【０１５７】
を以下に示すように表すことができ、
【数１１２】
2007538464.tif 000114
【０１５８】
対応する信号対雑音比（ＳＮＲ）ＳＮＲｉ（ｎ）は以下に示すように表すことができる。
【数１１３】
2007538464.tif 000115
【０１５９】
同様に、ｉ＋１ＯＦＤＭブロック中で送信されるｎ番目の情報シンボルであるシンボル
【数１１４】
2007538464.tif 000116
【０１６０】
に対する決定統計値
【数１１５】
2007538464.tif 000117
【０１６１】
を以下に示すように表すことができ、
【数１１６】
2007538464.tif 000118
【０１６２】
対応する信号対雑音比（ＳＮＲ）ＳＮＲｉ＋１（ｎ）は以下に示すように表すことができる。
【数１１７】
2007538464.tif 000119
【０１６３】
したがって、次数２のダイバーシティゲインが得られる。
【０１６４】
これらの場合、２つよりも多い送信アンテナが用いられ、２つよりも多い送信シンボルが共にグループ化される場合、受信機は復号器／等化器ブロック４１０からの付加的な出力を含むことができ、これらはそれぞれ送信機における送信アンテナの数に基づく適切な反転および複素共役関数を供給する。
【０１６５】
図５に関して述べた機能性は、受信プロセッサ１４２およびプロセッサ１３０と受信プロセッサ１６０およびプロセッサ１７０で実施することができる。そのような場合、要素４０４，４０６，４０８，４１０，および４１２に関して述べた機能性は、プロセッサ内に設けることができる。
【０１６６】
当業者は、本明細書中で開示した実施形態に関連して述べられた様々な実例となる論理ブロック、モジュール、回路、およびアルゴリズムを、電子ハードウェア、コンピュータソフトウェア、または両方の組み合わせとして実施できることが分かるであろう。このハードウェアとソフトウェアの互換性を明瞭に示すために、様々な実例となる構成要素、ブロック、モジュール、回路、およびアルゴリズムを、それらの機能性の点から広く述べた。そのような機能性がハードウェアとして実施されるか、あるいはソフトウェアとして実施されるかは、システム全体に課せられた特定用途と設計制約による。熟練した技術者は、上述した機能性を、各特定用途のための方法を変更して実施することができるが、そのような実施の決定は本発明の範囲からの逸脱を招くものと解釈すべきでない。
【０１６７】
本明細書中で開示した実施形態に関連して述べられた様々な実例となる論理ブロック、モジュール、及び回路は、本明細書中で述べた機能を実行するために設計された、汎用プロセッサ、デジタル信号プロセッサ（ＤＳＰ）、回路、特定用途向け集積回路（ＡＳＩＣ）、現場でプログラム可能なゲートアレイ（ＦＰＧＡ）、または他のプログラム可能論理回路、ディスクリートゲートまたはトランジスタ論理、ディスクリートハードウェアコンポーネント、あるいはそれらの任意の組み合わせを用いて、実施または実行できる。汎用プロセッサはマイクロプロセッサとすることができるが、別の方法では、プロセッサは任意の従来のプロセッサ、プロセッサ、マイクロプロセッサ、または状態機械とすることができる。またプロセッサは、デバイスの組み合わせ、例えばＤＳＰとマイクロプロセッサとの組み合わせ、複数のマイクロプロセッサ、ＤＳＰコアと連動する１つ以上のマイクロプロセッサ、複数の論理要素、複数の回路、あるいはそのような任意の他の構成として実施することができる。
【０１６８】
本明細書中で開示した実施形態に関連して述べられた方法またはアルゴリズムは、ハードウェア、プロセッサにより実行されるソフトウェアモジュール、またはその２つの組み合わせで直接具体化することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または技術的に知られている任意の他の形式の記憶媒体に常駐することができる。例示的な記憶媒体は、プロセッサが記憶媒体から情報を読み出し、記憶媒体に情報を書き込むことができるように、プロセッサに結合されている。別の方法では、記憶媒体はプロセッサと一体化することができる。プロセッサと記憶媒体はＡＳＩＣに常駐することができる。ＡＳＩＣはユーザー端末に常駐することができる。別の方法では、プロセッサと記憶媒体はユーザー端末中のディスクリートコンポーネントとして常駐することができる。
【０１６９】
開示した実施形態の先の説明は、任意の当業者が本発明を行いまたは使用できるように提供されている。これらの実施形態の様々な変更は当業者にとって容易に明らかとなり、明細書中で規定された一般的な原理は、本発明の趣旨と範囲を逸脱することなく、他の実施形態に適用することができる。したがって本発明は、明細書中で示された実施形態に限定されることは意図されておらず、明細書中で開示された原理と新規な特徴に沿う最も広い範囲に適合することになる。
【図面の簡単な説明】
【０１７０】
【図１】従来技術で知られる、ＯＦＤＭ送信機のいくつかのブロックの簡略化した高レベルブロック図。
【図２】一実施形態に関連するＭＩＭＯシステムにおける送信機システムおよび受信機システムの簡略化した高レベルブロック図。
【図３】一実施形態に関連する送信機の簡略化した高レベルブロック図。
【図４】一実施形態に関連する伝送のための各巡回プレフィックスを有するシンボルを示す図。
【図５】一実施形態に関連する、ＯＦＤＭ送信機のいくつかのブロックの簡略化した高レベルブロック図。
【図１】
2007538464.tif 000141
【図２】
2007538464.tif 000142
【図３】
2007538464.tif 000143
【図４】
2007538464.tif 000144
【図５】
2007538464.tif 000145
【国際調査報告】
2007538464.tif 000146
2007538464.tif 000147
2007538464.tif 000148